(57)【要約】【課題】危険物や処理の必要な廃棄物が排出されないプリントコイルの製造方法及びプリント配線板の製造方法を提供する。【解決手段】キャリアフィルム１上に再剥離可能な接着剤層２を形成し、さらにその上に銅箔層３を形成してなる基板１０に、レジストパターン４を形成し、さらに導体パターン５を形成した。そして、２つの基板１０を、導体パターン５を対向させて積層した。この積層された２つの基板１０からキャリアフィルム１を剥離し、さらに銅箔層３を除去した。【選択図】    図１
2004228306.tif 000002
【特許請求の範囲】
【請求項１】
支持体上に再剥離可能な接着剤層を形成し、さらにその上に銅箔層を形成してなる基板に、レジストパターンを形成するレジストパターン形成工程と、
前記レジストパターンが形成された基板に導体パターンを形成する導体パターン形成工程と、
前記導体パターンが形成された２つの基板を、前記導体パターンを対向させて積層する積層工程と、
積層された２つの前記基板から前記支持体を剥離し、さらに前記銅箔層を除去する剥離工程と、
を有することを特徴とするプリントコイルの製造方法。
【請求項２】
支持体上に再剥離可能な接着剤層を形成し、さらにその上に銅箔層を形成してなる基板に、レジストパターンを形成するレジストパターン形成工程と、
前記レジストパターンが形成された基板に導体パターンを形成する導体パターン形成工程と、
前記導体パターンが形成された基板から前記レジストパターンを除去するレジストパターン除去工程と、
前記レジストパターンが除去された基板と接着剤が塗布された基材とを、前記基板の前記導体パターンが形成された面と前記基材の接着剤が塗布された面とを対向させて積層する積層工程と、
積層された前記基板から前記支持体を剥離し、さらに前記銅箔層を除去する剥離工程と、
を有することを特徴とするプリント配線板の製造方法。
【発明の詳細な説明】
【０００１】
【発明の属する技術分野】
本発明は、プリントコイルの製造方法及びプリント配線板の製造方法に関する。
【０００２】
【従来の技術】
プリントコイルの製造方法に関する従来の技術としては、例えば、特許公報第２９１４６０１号に開示のものがある。この製造方法においては、両性金属製の基板の上にレジストパターンを形成し、さらに電気メッキにより導体パターンを形成した後に、この導体パターンが形成された２つの基板を、導体パターンを対向させて積層している。そして、積層後、両性金属製の基板をエッチングにより除去した後に、さらに電気メッキを施してプリントコイルを製造している。
【０００３】
両性金属製の基板をエッチングした際に排出されるエッチング廃液は、しかるべき廃液処理を経て、さらに汚泥乾燥処理等により減容化された後に、廃棄物処理施設等に送られる。
【０００４】
【特許文献１】
特許公報第２９１４６０１号
【０００５】
【発明が解決しようとする課題】
しかしながら、前述のような従来の製造方法においては、両性金属製の基板をエッチングにより除去するため、例えば両性金属がアルミニウムでエッチング液が濃塩酸である場合には、エッチング工程中に水素ガスが発生する。そのため、エッチング工程においては、防爆設備を含む大掛かりな設備が必要となる。また、エッチング工程において大量のアルミ廃棄物が排出されるので、その処理も大きな問題となる。
そこで、本発明は前述のような従来技術の問題点を解決し、危険物や処理の必要な廃棄物が排出されないプリントコイルの製造方法及びプリント配線板の製造方法を提供することを課題とする。
【０００６】
【課題を解決するための手段】
前記課題を解決するため、本発明は次のような構成からなる。すなわち、本発明のプリントコイルの製造方法は、支持体上に再剥離可能な接着剤層を形成し、さらにその上に銅箔層を形成してなる基板に、レジストパターンを形成するレジストパターン形成工程と、前記レジストパターンが形成された基板に導体パターンを形成する導体パターン形成工程と、前記導体パターンが形成された２つの基板を、前記導体パターンを対向させて積層する積層工程と、積層された２つの前記基板から前記支持体を剥離し、さらに前記銅箔層を除去する剥離工程と、を有することを特徴とする。
【０００７】
このように本発明のプリントコイルの製造方法は、基板の除去にエッチングを用いないので、製造工程において水素等の危険物や処理の必要な廃棄物が排出されることがない。
また、本発明のプリント配線板の製造方法は、支持体上に再剥離可能な接着剤層を形成し、さらにその上に銅箔層を形成してなる基板に、レジストパターンを形成するレジストパターン形成工程と、前記レジストパターンが形成された基板に導体パターンを形成する導体パターン形成工程と、前記導体パターンが形成された基板から前記レジストパターンを除去するレジストパターン除去工程と、前記レジストパターンが除去された基板と接着剤が塗布された基材とを、前記基板の前記導体パターンが形成された面と前記基材の接着剤が塗布された面とを対向させて積層する積層工程と、積層された前記基板から前記支持体を剥離し、さらに前記銅箔層を除去する剥離工程と、を有することを特徴とする。
このように本発明のプリント配線板の製造方法は、基板の除去にエッチングを用いないので、製造工程において水素等の危険物や処理の必要な廃棄物が排出されることがない。
【０００８】
【発明の実施の形態】
本発明に係るプリントコイルの製造方法及びプリント配線板の製造方法の実施の形態を、図面を参照しながら詳細に説明する。なお、本実施形態は本発明の一例を示したものであって、本発明は本実施形態に限定されるものではない。
〔実施例１〕
図１に示すような工程にしたがって、プリントコイルを製造した。まず、厚さが１２５μｍでポリエステル製のキャリアフィルム１の片面に、再剥離可能な接着剤を塗布して、厚さ約１μｍの接着剤層２を形成した。さらに、接着剤層２の上に、蒸着により銅を付着させて厚さ０．４μｍの銅箔層３を形成した。
【０００９】
次に、得られたフィルムを縦６００ｍｍ，横３５０ｍｍのサイズに裁断した。そして、裁断したフィルム２枚を、銅箔層３を有する側の面を外側に向けて張り合わせ、界面のエアをローラーで押し出しながら四辺をシールして基板１０を得た（図１の（ａ）を参照）。
なお、キャリアフィルム１が本発明の構成要件である支持体に相当し、支持体としてはポリエステル製のフィルムがよく用いられる。ただし、耐熱性及び寸法安定性が要求される場合には、例えばポリイミド，ポリフェニレンエーテル，芳香族ポリアミド製のフィルムがより好ましい。また、支持体として、アルミニウム，銅，ステンレス等の金属製のフィルムも使用することができる。本発明の製造方法においては、支持体は接着剤層から剥離して原状のまま回収できるため、金属製の支持体であっても再資源化が可能である。
【００１０】
また、再剥離可能な接着剤としては、アクリル系接着剤，エポキシ系接着剤等が用いられるが、例えばシリカ等のフィラーを０．１〜１０質量％の範囲で添加することにより、銅箔層３との密着力を０．４ｋＮ／ｍ以下、望ましくは０．２ｋＮ／ｍ以下にコントロールするとよい。そうすれば、銅箔層３と接着剤層２との界面が容易に剥離可能となる。接着剤層２の上に銅箔層３を形成させる方法としては、蒸着の他、無電解銅メッキ，スパッタリング等の方法を用いることができる。
【００１１】
このような基板１０を１％硝酸中で洗浄し、さらに超純水で洗浄した後、約８０℃で乾燥させて付着水分を完全に除去した。洗浄した基板１０の両面に、ネガ型フォトレジスト（東京応化工業株式会社製の「Ｎ−ＨＣ４０」）をディップコートにより塗布し、オーブンにてプリベークして、膜厚８μｍのレジスト膜を形成した。さらに、図示しない平行光露光機とポリエステル製ネガマスク（最小線幅１０μｍ）とを用いて、露光量２００ｍＪにて密着露光した。そして、現像液（東京応化工業株式会社製の「Ｎ−Ａ５」を８倍希釈したもの）で所定時間現像した後にアフターベーク処理して、両面にレジストパターン４を有するリソ基板を得た（図１の（ｂ）を参照）。
【００１２】
このリソ基板に硫酸銅水溶液中で電気メッキを施して、導体パターン５形成し、銅メッキ基板を得た（図１の（ｃ）を参照）。なお、硫酸銅水溶液中の硫酸銅濃度は１５０ｇ／Ｌ、硫酸濃度は１３０ｇ／Ｌ、塩素濃度は５５ｐｐｍ、液温は３７℃である。また、電気メッキの条件は、電流密度が６．４Ａ／ｄｍ２  、積算電気量が２７００Ａ・分である。
【００１３】
得られた銅メッキ基板の四辺をシェアカッターでカットし、図１の（ａ）工程にて張り合わせた部分を剥がして２枚に分けた。そして、この２枚の銅メッキ基板を、導体パターン５を有する面を対向させ且つ積層材６であるガラスクロスプリプレグ（松下電工株式会社製の「クリアプレグ」）を介在させて積層した（図１の（ｄ）を参照）。なお、この積層は、温度１８０℃，圧力０．９８ＭＰａで１時間真空プレスすることにより行った。
【００１４】
積層した基板にＮＣドリルを用いて図示しないスルーホール穴あけを実施し、ダイレクトメッキ処理（奥野製薬株式会社製の「ダイレックスプロセス」）により前記スルーホールの内壁にパラジウム触媒を付着させた。キャリアフィルム１を接着剤層２とともに剥離した後（銅箔層３と接着剤層２との間の密着力は、積層後の導体５と積層材６との間の密着力より弱く設定してあるため、キャリアフィルム１を容易に剥離することが可能である）、銅箔層３を過硫酸アンモニウムを用いたエッチングにより除去した。そして、前述と同様の電気メッキ処理により、導体パターン５への導体の積み増しと前記スルーホールの接続とを同時に実施して、プリントコイル１１を得た（図１の（ｅ）を参照）。
【００１５】
このようなプリントコイルの製造方法は、従来の製造方法とは異なり、アルミニウムのエッチング工程がないため、アルミニウムのエッチングに伴う水素ガスの発生及びアルミスラッジの発生が全くない。また、剥離したキャリアフィルム１は再資源化することができ、また、エッチングにより除去された銅（銅箔層３）はメッキ液として再利用できるため、廃棄物が全く排出されない。
【００１６】
〔実施例２〕
図２に示すような工程にしたがって、プリント配線板を製造した。なお、図２においては、図１と同一又は相当する部分には、図１と同一の符号を付してある。
まず、厚さが１２５μｍでポリエステル製のキャリアフィルム１の片面に、再剥離可能な接着剤を塗布して、厚さ約１μｍの接着剤層２を形成した。さらに、接着剤層２の上に、蒸着により銅を付着させて厚さ０．４μｍの銅箔層３を形成した。得られたフィルムを縦６００ｍｍ，横３５０ｍｍのサイズに裁断して、基板１０を得た（図２の（ａ）を参照）。
【００１７】
なお、キャリアフィルム１が本発明の構成要件である支持体に相当し、支持体としてはポリエステル製のフィルムがよく用いられる。ただし、耐熱性及び寸法安定性が要求される場合には、例えばポリイミド，ポリフェニレンエーテル，芳香族ポリアミド製のフィルムがより好ましい。また、支持体として、アルミニウム，銅，ステンレス等の金属製のフィルムも使用することができる。本発明の製造方法においては、支持体は接着剤層から剥離して原状のまま回収できるため、金属製の支持体であっても再資源化が可能である。
【００１８】
また、再剥離可能な接着剤としては、アクリル系接着剤，エポキシ系接着剤等が用いられるが、例えばシリカ等のフィラーを０．１〜１０質量％の範囲で添加することにより、銅箔層３との密着力を０．４ｋＮ／ｍ以下、望ましくは０．２ｋＮ／ｍ以下にコントロールするとよい。そうすれば、銅箔層３と接着剤層２との界面が容易に剥離可能となる。接着剤層２の上に銅箔層３を形成させる方法としては、蒸着の他、無電解銅メッキ，スパッタリング等の方法を用いることができる。
【００１９】
このような基板１０を１％硝酸中で洗浄し、さらに超純水で洗浄した後、約８０℃で乾燥させて付着水分を完全に除去した。洗浄した基板１０の銅箔層３を有する面に、ドライフィルムレジスト（旭化成株式会社製の「サンフォート」）をラミネートし、膜厚１０μｍのレジスト膜を形成した。さらに、図示しない平行光露光機とポリエステル製ネガマスク（最小線幅１０μｍ）とを用いて、露光量２００ｍＪにて密着露光した。そして、アルカリ現像液で所定時間現像した後にアフターベーク処理して、レジストパターン４を有するリソ基板を得た（図２の（ｂ）を参照）。
【００２０】
このリソ基板に硫酸銅水溶液中で電気メッキを施して、導体パターン５を形成し、銅メッキ基板を得た（図２の（ｃ）を参照）。なお、硫酸銅水溶液中の硫酸銅濃度は１５０ｇ／Ｌ、硫酸濃度は１３０ｇ／Ｌ、塩素濃度は５５ｐｐｍ、液温は３７℃である。また、電気メッキの条件は、電流密度が６．４Ａ／ｄｍ２  、積算電気量が２７００Ａ・分である。
【００２１】
３０℃の３％水酸化ナトリウム水溶液を用いて、得られた銅メッキ基板からレジストパターン４を除去した（図２の（ｄ）を参照）。そして、この銅メッキ基板と接着剤２１が塗布されたベースフィルム２０（デュポン社製のポリイミドフィルム「カプトン」）とを、銅メッキ基板の導体パターン５が形成された面とベースフィルム２０の接着剤２１が塗布された面とを対向させて積層した（図２の（ｅ）を参照）。この積層は、温度１８０℃，圧力０．９８ＭＰａで１時間真空プレスすることにより行った。なお、ベースフィルム２０が本発明の構成要件である基材に相当する。
【００２２】
そして、キャリアフィルム１を接着剤層２とともに剥離した後（銅箔層３と接着剤層２との間の密着力は、積層後の導体５と接着剤２１との間の密着力より弱く設定してあるため、キャリアフィルム１を容易に剥離することが可能である）、銅箔層３を過硫酸アンモニウムを用いたエッチングにより除去した。その後、前述と同様のドライフィルムレジストをラミネートし、前述と同様にして密着露光及び現像を行って、導体パターン５上に直径１０μｍの孔を有するバンプメッキ用レジストパターン２２を形成した。さらに、前述と同様の条件で硫酸銅水溶液中で電気メッキを行って、前記孔に銅２３を充填した（図２の（ｆ）を参照）。
【００２３】
そして、前述と同様にして水酸化ナトリウム水溶液を用いてバンプメッキ用レジストパターン２２を除去して、幅３０μｍ，高さ６０μｍ，導体アスペクト比２のファインパターン接続用バンプ２３を有するプリント配線板２５を得た（図２の（ｇ）を参照）。
このようなプリント配線板の製造方法は、従来の製造方法とは異なり、アルミニウムのエッチング工程がないため、アルミニウムのエッチングに伴う水素ガスの発生及びアルミスラッジの発生が全くない。また、剥離したキャリアフィルム１は再資源化することができ、また、エッチングにより除去された銅（銅箔層３）はメッキ液として再利用できるため、廃棄物が全く排出されない。
【００２４】
〔比較例１〕
図３に示すような工程にしたがって、プリントコイルを製造した。まず、横３５０ｍｍ，縦６００ｍｍ，厚さ８０μｍのアルミニウム板３１を２枚用意した。そして、これらの外縁を一致させて重ねた上、四辺を超音波でシーリングして一体化し基板４０とした（図３の（ａ）を参照）。
【００２５】
この袋状の基板４０に亜鉛水溶液（奥野製薬株式会社製の「サブスターＺｎ２」）による前処理を施した後、ピロリン酸銅水溶液中で電気メッキを施して、表面に平均膜厚０．５μｍ（膜厚分布は±１５％）の銅メッキ層３３を形成した（図３の（ｂ）を参照）。なお、ピロリン酸銅水溶液中の銅イオン濃度は２５ｇ／Ｌ、オルソリン酸濃度は２０ｇ／Ｌ、ｐＨ８．４、液温は５５℃、Ｐ比は６．７５である。また、電気メッキの条件は、電流密度が１．２Ａ／ｄｍ２  、積算電気量が１００Ａ・分である
このような基板４０を１％硝酸中で洗浄し、約８０℃で乾燥させて付着水分を完全に除去した。洗浄した基板４０の銅メッキ層３３上に、ネガ型フォトレジスト（東京応化工業株式会社製の「Ｎ−ＨＣ４０」）をディップコートにより塗布し、オーブンにてプリベークして、膜厚８μｍのレジスト膜を形成した。さらに、図示しない平行光露光機とポリエステル製ネガマスク（最小線幅１０μｍ）とを用いて、露光量２００ｍＪにて密着露光した。そして、現像液（東京応化工業株式会社製の「Ｎ−Ａ５」を８倍希釈したもの）で所定時間現像した後にアフターベーク処理して、両面にレジストパターン３４を有するリソ基板を得た（図３の（ｃ）を参照）。
【００２６】
このリソ基板に硫酸銅水溶液中で電気メッキを施して、導体パターン３５を形成し、銅メッキ基板を得た（図３の（ｄ）を参照）。なお、硫酸銅水溶液中の銅イオン濃度は１５０ｇ／Ｌ、硫酸濃度は１３０ｇ／Ｌ、塩素濃度は５５ｐｐｍ、液温は３７℃である。また、電気メッキの条件は、電流密度が６．４Ａ／ｄｍ２  、積算電気量が２７００Ａ・分である。
【００２７】
得られた銅メッキ基板の四辺をシェアカッターでカットし、図３の（ａ）工程にて張り合わせた部分を剥がして２枚に分けた。そして、この２枚の銅メッキ基板を、導体パターン３５を有する面を対向させ且つ積層材３６であるガラスクロスプリプレグ（松下電工株式会社製の「クリアプレグ」）を介在させて、積層した（図３の（ｅ）を参照）。なお、この積層は、温度１８０℃，圧力０．９８ＭＰａで１時間真空プレスすることにより行った。
【００２８】
積層した基板にＮＣドリルを用いて図示しないスルーホール穴あけを実施し、ダイレクトメッキ処理（奥野製薬株式会社製の「ダイレックスプロセス」）により前記スルーホールの内壁にパラジウム触媒を付着させた。そして、１０％塩酸中にて３０分間エッチングを行い、アルミニウム板３１を除去した（図３の（ｆ）を参照）。エッチング中に発生した水素は、１シート当たり１０５Ｌである。また、排出されたアルミスラッジは、１シート当たり６２５ｇ（乾燥による減容後の質量）であり、これらは廃棄物として処理される。
【００２９】
塩酸によるエッチングの後、さらに過硫酸アンモニウムによりエッチングして、銅メッキ層３３を除去した。そして、前述と同様の電気メッキ処理により、導体パターン３５への導体の積み増しと前記スルーホールの接続とを同時に実施して、プリントコイル４１を得た（図３の（ｇ）を参照）。
【００３０】
【発明の効果】
以上のように、本発明のプリントコイルの製造方法及びプリント配線板の製造方法は、支持体の除去を剥離により行うものであり、エッチングは行わないので、製造中に排出される廃棄物が少なく且つ製造方法が簡易である。
【図面の簡単な説明】
【図１】実施例１のプリントコイルの製造方法を説明するプロセス図である。
【図２】実施例２のプリント配線板の製造方法を説明するプロセス図である。
【図３】比較例１のプリントコイルの製造方法を説明するプロセス図である。
【符号の説明】
１    キャリアフィルム
２    接着剤層
３    銅箔層
４    レジストパターン
５    導体パターン
６    積層材
１０    基板
１１    プリントコイル
２０    ベースフィルム
２１    接着剤
２５    プリント配線板
【図１】
2004228306.tif 000003
【図２】
2004228306.tif 000004
【図３】
2004228306.tif 000005